(57)【要約】  【課題】移動可能な放射線画像読取装置の所在を適正に把握することができ、移動可能な放射線画像読取装置の特性を十分に生かした、利便性の高いシステムを実現できる放射線画像装置、および、放射線画像読取システムを提供する。  【解決手段】積性蛍光体シートに撮影された放射線画像を読み取る放射線画像読取装置であって、人手によって移動可能であり、かつ、自身の位置を検出し、検出した位置情報を所定位置に供給する手段とを有することにより、前記課題を解決する。【選択図】図１
2005077888.tif 000002
【特許請求の範囲】
【請求項１】
蓄積性蛍光体シートに撮影された放射線画像を読み取る放射線画像読取装置であって、  移動可能であり、かつ、自身の位置を検出し、検出した位置情報を所定位置に供給する手段とを有することを特徴とする放射線画像読取装置。
【請求項２】
蓄積性蛍光体シートに撮影された放射線画像を読み取る放射線画像読取装置と、出力手段と、前記放射線画像読取装置および出力手段を接続する通信手段とを有し、
前記放射線画像読取装置は、移動可能であり、かつ、自身の位置を検出し、検出した位置情報を前記通信手段を用いて前記出力手段に供給する手段を有し、前記出力手段は、供給された位置情報を出力することを特徴とする放射線画像読取システム。
【発明の詳細な説明】
【技術分野】
【０００１】
本発明は、蓄積性蛍光体シートに撮影された放射線画像を読み取る放射線画像読取の技術分野に属し、詳しくは、移動可能で、かつ管理も容易に行うことができる放射線画像読取装置、および、この放射線画像読取装置を用いる放射線画像読取システムに関する。
【背景技術】
【０００２】
放射線（Ｘ線、α線、β線、γ線、電子線、紫外線等）の照射を受けると、この放射線エネルギーの一部を蓄積し、その後、可視光等の励起光の照射を受けると、蓄積されたエネルギーに応じた輝尽発光を示す蛍光体が知られている。この蛍光体は、蓄積性蛍光体（輝尽性蛍光体）と呼ばれ、医療用途などの各種の用途に利用されている。
【０００３】
一例として、この蓄積性蛍光体の膜（以下、蛍光体膜とする）を有する蓄積性蛍光体シート（輝尽性蛍光体シート（パネル）とも呼ばれている）を利用する、放射線画像（情報）記録再生システムが知られており、例えば、富士写真フイルム社製のＦＣＲ（Fuji Computed Radiography)等として実用化されている。
このシステムでは、人体などの被写体を介してＸ線等を照射することにより、蛍光体パネル（蛍光体膜）に被写体の放射線画像を撮影する。撮影後に、蛍光体パネルをレーザ光等の励起光で２次元的に走査して輝尽発光を生ぜしめ、この輝尽発光光を光電的に読み取って画像信号を得、この画像信号に基づいて再生した画像を、ＣＲＴなどの表示装置や、写真感光材料などの記録材料等に、被写体の放射線画像として出力する。
【０００４】
蓄積性蛍光体シート（以下、蛍光体シートとする）に記録された放射線画像の読み取りは、通常、特許文献１に開示されるように、レーザビームなどの励起光を一方向（主走査方向）に偏向すると共に、蛍光体シートを主走査方向と直交する副走査方向に搬送することにより、ビーム状の励起光で蛍光体シートの全面を二次元的に走査する、ポイントスキャン方式（ラスタースキャン方式）が多く用いられている。
一方で、特許文献２に開示されるような、ＬＤなどの励起光光源を一方向（主走査方向）に配列したライン光源と、読取画素列を主走査方向に一致するラインＣＣＤセンサなどのラインセンサとをユニット化した読取ヘッドを用い、主走査方向と直交する副走査方向に、読取ヘッドと蛍光体シートとを相対的に移動することにより、励起光で蛍光体シートの全面を二次元的に走査する放射線画像の読取装置も知られている。
【０００５】
このライン光源とラインセンサを用いる読取装置は、励起光を偏向走査するための光学系や光路長が不要であるので、ポイントスキャン方式の読取装置に比して装置を大幅に小型化できる。
また、一般的に、読取装置は固定されており、撮影場所から読取装置の設置場所に撮影済の蛍光体シートを運んで、放射線画像の読み取りを行う。これに対して、小型化が可能なラインセンサ等を用いる読取装置によれば、任意の場所に持ち運んで蛍光体シートに撮影された放射線画像情報を読み取る、モバイルタイプの読取装置とすることも可能であり、例えば、非特許文献１に開示されるように、画像表示用のディスプレイと組み合わせて、任意の場所で蛍光体シートに撮像された放射線画像を読み取り、その画像を表示することができる。
【０００６】
【特許文献１】特開２００２−１７４８６７号公報
【特許文献２】特開２００２−２９６７１６号公報
【非特許文献１】映像情報Medical 、産業開発機構社刊、２００２年５月、vol.３４、No. ６、第６６８ページ〜第６６９ページ
【発明の開示】
【発明が解決しようとする課題】
【０００７】
このようなモバイルタイプの読取装置であれば、例えば、撮影場所の近くに読取装置を持ち運んで、撮影後、直ちに蛍光体シートに撮影された放射線画像を読み取り、読み取った放射線画像をディスプレイ等に表示することができ、例えば、手術室での放射線診断画像の読影等が可能になる。
また、適正な撮影が困難な部位や病状の放射線画像を撮影する場合であっても、撮影場所の近くにモバイルタイプの読取装置を運んで、撮影後、直ちに読み取りを行い、撮影条件の確認や設定を行うことができる。その結果、迅速かつ正確な診断を行うことが可能になる。
しかも、このような利便性を、多数台の撮影装置に対して、少ない台数の読取装置で発揮することができる。
【０００８】
ところが、モバイルタイプの読取装置は、任意に移動可能であるために位置の管理に手間がかかり、管理が不適性であると、読取装置の所在が不明になってしまう場合もある。そのため、モバイルタイプの読取装置が有する優れた特性を十分に発揮できないこともある。
例えば、事故や急病人などで緊急に放射線画像診断が必要な場合には、モバイルタイプの読取装置を撮影場所の近傍に運んで、撮影後、迅速に放射線画像の読み取りを行い、診断や治療を行うのが好ましい。ところが、実行する撮影に対応するモバイルタイプの読取装置の所在が不明では、迅速な読み取りを行うことができず、診断や治療に支障を来たしてしまう。
【０００９】
本発明の目的は、放射線画像記録再生システムにおいて、移動可能（持ち運び可能）な放射線画像読取装置の所在を適正に把握することができ、これにより、移動可能な放射線画像読取装置の特性を十分に生かした、利便性の高いシステムを実現できる放射線画像装置、および、この放射線画像読取装置を用いる放射線画像読取システムを提供することにある。
【課題を解決するための手段】
【００１０】
前記目的を達成するために、本発明の放射線画像読取装置は、蓄積性蛍光体シートに撮影された放射線画像を読み取る放射線画像読取装置であって、移動可能であり、かつ、自身の位置を検出し、検出した位置情報を所定位置に供給する手段とを有することを特徴とする放射線画像読取装置を提供する。
【００１１】
また、本発明の放射線画像読取システムは、蓄積性蛍光体シートに撮影された放射線画像を読み取る放射線画像読取装置と、出力手段と、前記放射線画像読取装置および出力手段を接続する通信手段とを有し、前記放射線画像読取装置は、移動可能であり、かつ、自身の位置を検出し、検出した位置情報を前記通信手段を用いて前記出力手段に供給する手段を有し、前記出力手段は、供給された位置情報を出力することを特徴とする放射線画像読取システムを提供する。
【発明の効果】
【００１２】
このような本発明によれば、蓄積性蛍光体シートを用いる放射線画像記録再生システムにおいて、モバイルタイプの放射線画像読取装置の所在を適正に把握することができ、これにより、モバイルタイプの放射線画像読取装置の特性を十分に生かして、非常に利便性の高い放射線画像記録再生システムを実現することができる。
【発明を実施するための最良の形態】
【００１３】
以下、本発明の放射線画像読取装置、および、放射線画像読取システムについて、添付の図面に示される好適実施例を基に、詳細に説明する。
【００１４】
図１に、本発明の放射線画像読取装置を用いる、本発明の放射線画像読取システムの一例の概念図が示される。
図１の放射線画像読取システム１０（以下、読取システム１０とする）は、一例として、病院における放射線画像（情報）記録再生システムの一部を構成するものであり、病院内の各位置に固定的に設置された、あるいは、緊急時などに任意の位置に設置された放射線画像の撮影装置によって蓄積性蛍光体シートに撮影（記録）された、放射線画像（放射線画像情報）を読み取るシステムである。
【００１５】
図示例の読取システム１０は、基本的に、ホストコンピュータ１２と、蓄積性蛍光体シート（輝尽性蛍光体シート（パネル）とも言われる。  以下、ＩＰとする）に記録された放射線画像を読み取る（以下、「ＩＰを読み取る」とする）、複数台の読取装置１４と、ホストコンピュータ１２と読取装置１４とを接続する通信手段１６とから構成される。
なお、図１には、４台の読取装置１４を示すが、本発明はこれに限定はされず、読取装置１４は１台〜３台でもよく、あるいは、５台以上の読取装置１４を有してもよいのは、もちろんである。
【００１６】
本発明において、読取装置１４は、移動可能なモバイルタイプの読取装置である。なお、移動可能とは、一カ所に固定的に設置されて使用されるのではなく、通常の使用時（定常的な使用）において、適宜、場所を移動して使用されることを意味するものであり、移動して使用されないことを前提とした装置を、装置導入時等に使用位置に運搬すること等は含まない。
このようなモバイルタイプの読取装置１４は、例えば、放射線画像記録再生システムを有する病院内において、各病室、各放射線画像撮影室（その操作室）、各手術室、各診察室など、放射線画像の撮影場所に応じて様々な位置に移動され、撮影装置が放射線画像を撮影したＩＰの読み取りを行う。また、このようなモバイルタイプの読取装置１４の移動は、人が押て移動したり持ち運んだりする形態や、無線コントロール等を利用して指示した位置に装置が自走する形態等が利用可能である。
【００１７】
前述のように、ホストコンピュータ１２と各読取装置１４とは、通信手段１６によって接続可能にされている。
通信手段１６には、特に限定はなく、例えば、公知のコンピュータ通信ネットワークを利用すればよい。従って、構内ＰＨＳや無線ＬＡＮなどを用いた無線による通信手段であってもよく、あるいは、病院内などの読取装置１４の移動先において、各位置に設置される接続口とをケーブルで接続することにより、通信手段１６によって両者が接続される有線の通信手段であってもよく、あるいは、有線と無線の通信手段を両者を有するものであってもよい。また、読取システム１０においては、異なる通信手段１６が混在してもよい。
【００１８】
図示例において、ホストコンピュータ１２（以下、ホスト１２とする）は、読取システム１０全体の管理を行うものであり、例えば、各種の手段で入力あるいは撮影装置等から供給された撮影情報（撮影オーダ）の読取装置１４への供給、ＩＰの読み取りを行う読取装置１４の選択および指示、読取装置１４から送られる放射線画像（情報）の管理やデータベースへの記録などを行う。また、図示例においては、ホスト１２は、読取装置１４の位置情報の出力手段を兼ねており、各読取装置１４から位置情報を受け取り、各読取装置１４の位置を自身が有するディスプレイ１８に表示する。
このようなホスト１２は、例えば、パーソナルコンピュータ（ＰＣ）やワークステーション等を利用して構成すればよい。
【００１９】
なお、本発明において、各読取装置１４の位置情報の出力手段は、図示例のように、読取システム１０を管理するホスト１２に限定はされず、例えば、位置情報出力専用の表示手段等を設けてもよい。あるいは、各読取装置１４のディスプレイに、各読取装置の位置情報を表示するようにしてもよい。また、ホスト１２における表示を含めて、これらの位置情報の出力手段が混在してもよいのは、もちろんである。
さらに、位置情報の出力も、ディスプレイ表示に限定はされず、位置情報を記録したハードコピーとして出力してもよく、音声出力であってもよく、複数の出力手段が混在してもよい。
【００２０】
読取装置１４は、ＩＰを読み取り（前述のように、ＩＰに記録された放射線画像の読み取り）、読み取った放射線画像を表示するものであり、図２に概念的に示されるように、読取部２０と、ディスプレイ２２と、位置検出手段２４とから構成される。
本発明において、読取装置１４は、前述のように、モバイルタイプの読取装置であって、小型で、かつ、底面に移動用のキャスタ２６等を有し、人手等によって容易に移動できるものであり、１つの場所に固定的に設置されるものではなく、各病室、各放射線画像撮影室（その操作室）、各手術室、各診察室など、病院内の様々な位置に移動される。
図示例において、読取装置１４は、位置検出手段２４を有する以外は、基本的に、ライン光源およびラインセンサを用いる公知のＩＰ（放射線画像）の読取装置である。
【００２１】
なお、本発明の読取システム１０において、読取装置１４は図示例に限定はされず、移動可能なものであれば、各種の構成の放射線画像の読取装置が利用可能である。
【００２２】
ＩＰは、遮光性の筐体であるカセッテに収容された状態で放射線画像を撮影され、カセッテが読取装置１４の所定位置に装填されることにより、読取装置１４に供給される。
読取装置１４において、カセッテが所定位置に装填されると、図示しない開蓋手段がカセッテの蓋を開け、図示しない枚葉手段がカセッテからＩＰを取り出して所定位置に搬送し、図示しない保持手段が図２に示すようにＩＰを所定位置に保持する。
なお、カセッテの装填手段、開蓋手段、枚葉手段、およびＩＰの保持手段は、いずれも、カセッテや読取装置１４の構成等に応じて、例えば、吸盤、引き出しローラ、ガイドレール等を用いて、公知の手段で構成すればよい。
【００２３】
読取部２０は、ＩＰの読み取りを行うものであって、読取ヘッド３０と、副走査手段３２と、画像処理部３４とを有して構成される。
読取ヘッド３０は、前記所定位置に保持されたＩＰに励起光Ｌを入射して、ＩＰからの輝尽発光光Ｒを測定するもので、筐体３６と、この筐体３６に保持されるＬＤ（レーザダイオード）アレイ３８、ミラー４０、集光レンズ４２、プリズム４４、ラインセンサ４６（４６ａ〜４６ｃ）、および、消去光出射部４８とを有して構成される。
【００２４】
ＬＤアレイ３８は、励起光Ｌの光源であるＬＤを主走査方向（図２紙面に垂直方向）に配列してなる、ライン光源である。
ラインセンサ４６は、例えば、ラインＣＣＤセンサ等の公知のセンサである。図示例においては、両端の画素列を若干重ねた状態で、３つのラインセンサ４６を主走査方向に配列して、読取画素列を主走査方向に配列する１つの長尺なラインセンサを形成しており、両側のラインセンサ４６ａおよび４６ｃはＩＰ面からの垂線上に配置され、中央のラインセンサ４６ｂは、この垂線に対して直交する位置に配置される。
集光レンズ４２は、主走査方向に延在するシリンドリカルレンズで、ＩＰが発した輝尽発光光Ｒを、各ラインセンサ４６の受光面に結像する。
さらに、集光レンズ４２の下流（輝尽発光光Ｒの進行方向）に配置されるプリズム４４は、主走査方向中央（以下、単に中央とする）の輝尽発光光Ｒは９０°偏向してラインセンサ４６ｂに、両側の輝尽発光光Ｒはそのまま進行させてラインセンサ４６ａおよび４６ｃに、それぞれ入射させる。
【００２５】
消去光出射部４８は、読取終了後に、ＩＰに残存している放射線画像を消去する消去光Ｑを出射する部位であり、例えば、主走査方向に延在する蛍光灯を、主走査方向と直交する副走査方向（図中矢印ｙ方向）に、複数本、配列してなるものである。
【００２６】
このような読取ヘッド３０（筐体３６）は、ガイドレール５８および移動手段６０から構成される副走査手段３２によって、副走査方向に移動される。
ガイドレール５８は、副走査方向に延在するレールで、主走査方向に離間して２本が配置され、副走査方向に移動自在に筐体３６の両端近傍に係合する。
移動手段６０は、駆動源（モータ）６２、駆動源６２の回転軸に固定される駆動プーリ６４、副走査方向に離間して駆動プーリ６４と対を成す従動プーリ６６、および、駆動プーリ６４と従動プーリ６６とに巻き架けられるエンドレスベルト６８から構成される。エンドレスベルト６８には、読取ヘッド３０の筐体３６が固定的に係合する。従って、駆動源６２を駆動することにより、読取ヘッド３０は、副走査方向に移動（副走査）する。
【００２７】
画像処理部３４は、ラインセンサ４６からの出力信号を変換して所定の画像処理を施し、さらに、必要に応じて、撮影部位や撮影条件などに応じた画像処理を施して、ディスプレイ２２による表示画像に対応する画像データとして、ディスプレイ２２に放射線画像を表示させる部位である。
また、読取装置１４が、エネルギサブトラクション（エネルギ差分処理）やテンポラリサブトラクション（経時差分処理）などの特殊撮影に対応する機能を有する場合には、画像処理部３４は、これらの特殊撮影を行われたＩＰを供給された場合には、それに応じた画像処理を施して、ディスプレイ２２に放射線画像を表示させる。
【００２８】
ディスプレイ２２は、公知のディスプレイである。従って、液晶ディスプレイ（ＬＣＤ）やＣＲＴ（Cathode Ray Tube）等の公知のディスプレイが、各種、利用可能である。また、ディスプレイは、カラーディスプレイでもモノクロディスプレイでもよいが、通常、モノクロディスプレイが用いられる。
なお、読取装置１４の移動を考慮すると、ディスプレイ２２としては小型かつ軽量なＬＣＤが好適に例示される。
【００２９】
ここで、読取装置１４においては、撮影した放射線画像を用いて、ある程度の精度での読影が可能であるのが好ましい。そのため、ディスプレイ２２は、１０００画素×１０００画素以上、特に、２０００画素×２０００画素以上の画素数（空間解像度）を有するのが好ましい。
さらに、好適な読影を行うために、読取装置１４のディスプレイ２２は、通常のＸ線画像の観察に使用されるシャーカステンと同等の輝度を有するのが好ましく、特に、３０００ｃｄ以上の最高輝度を有するのが好ましい。
【００３０】
また、前述のように、読取装置１４は、モバイルタイプの読取装置であって、様々な場所でＩＰを読み取り、読み取った放射線画像をディスプレイ２２に表示する。すなわち、読取装置１４のディスプレイ２２の観察環境は、使用環境によって異なり、様々に変化する。
このような各種の観察条件に応じて、各種の環境での適正な画像観察が可能なように、ディスプレイ２２は、図２（Ｂ）に示すように、外部から画像表示面に入射する余分な光を遮るための伸縮自在（矢印ａ方向）なジャバラ２２ａを有するのが好ましく、さらに、画像表示面の水平（Ｈ）方向の角度や垂直（Ｖ）方向の角度が調整可能であるのが好ましい。
【００３１】
以下、読取装置１４によるＩＰ読み取りの作用を説明する。
読取装置１４において、前述のように、オペレータによってカセッテが所定位置に装填されると、開蓋手段がカセッテの蓋体を開放して、枚葉手段がＩＰを取り出し、保持手段が所定位置に保持する。
ＩＰを前記所定位置に保持すると、次いで、ＬＤアレイ３８が励起光Ｌを出射しすると共に、副走査手段３２が駆動して、読取ヘッド３０の副走査方向（矢印ｙ１方向）への移動（副走査）を開始する。
ＬＤアレイ３８が出射した励起光Ｌはミラー４０に入射する。ミラー４０は、励起光Ｌを所定方向に反射し、ＩＰの所定位置に入射させる。
【００３２】
ＩＰの励起光Ｌの入射位置からは、記録された放射線量に応じた輝尽発光光Ｒが発生される。集光レンズ４２は、この輝尽発光光Ｒをラインセンサ４６の受光面に結像するように、集光する。
プリズム４４は、集光レンズ４２で集光された輝尽発光光Ｒのうち、中央領域を偏向してラインセンサ４６ｂに入射し、それ以外は、そのまま通過させて、ラインセンサ４６ａおよび４６ｃに入射させる。
【００３３】
前述のように、このＩＰの読み取り時には、副走査手段３２が読取ヘッド３０を矢印ｙ１方向に移動（副走査）している。従って、ＩＰは、励起光Ｌによって全面を二次元的に走査され、全面の放射線画像が読み取られる。
【００３４】
ラインセンサ４６は、入射した輝尽発光光Ｒを読み取り、それに応じた出力信号を画像処理部３４に送る。
画像処理部３４は、この出力信号を処理して、ディスプレイ２２による画像表示用の画像データとし、このＩＰ撮影された放射線画像（情報）を、ディスプレイ２２に表示する。
【００３５】
一方、読取ヘッド３０を矢印ｙ１方向の所定位置まで移動して、ＩＰ全面の読み取りが終了すると、ＬＤアレイ３８は励起光Ｌの出射を停止し、消去光出射部４８が消去光Ｑを出射する。次いで、走査手段２６は、読取ヘッド３０を逆の矢印ｙ２方向に移動する。これにより、消去光をＩＰの全面に照射して、残存する放射線画像を消去する。
【００３６】
消去が終了し、読取装置１４のオペレータによってカセッテが読取装置１４の所定位置に装填されると、前述の枚葉手段や開蓋手段が、ＩＰをカセッテ内に収容してカセッテの蓋を閉塞する。
その後、オペレータによって、カセッテが取り外され、必要に応じて、次のカセッテが装填され、同様にして、次のＩＰの読み取りが行われる。
【００３７】
なお、読取装置１４は、読み取った放射線画像をディスプレイ２２に表示するのみならず、例えば、撮影情報に応じて、読み取った放射線画像の記憶、データベース等への転送、撮影オーダの出力先への転送、接続されたプリンタへの出力等を行うようにしてもよい。さらに、これらの機能を全て有し、放射線画像の出力先などを、適宜、選択できるようにしてもよい。
【００３８】
前述のように、本発明にかかる読取装置１４は、位置検出手段２４を有する。位置検出手段２４は、読取装置１４自身の位置を検出して、その位置情報を通信手段１６を用いて、ホスト１２に供給するものである。前述のように、ホスト１２は、供給された各読取装置１４の位置を、ディスプレイ１８に表示する。
従って、本発明によれば、モバイルタイプの読取装置１４を用いる読取システム１０（放射線画像記録読取システム）において、例えば、読取装置１４を使用する可能性がある場所を多数有する大きな病院等であっても、各場所に移動して使用される読取装置１４の所在を適正に把握することができ、手術室での読影、撮影直後の読影による迅速な診断等を可能にする、前述のようなモバイルタイプの読取装置１４の利便性を十分に発揮することができる。
【００３９】
本発明において、位置検出手段２４による、読取装置１４自身の位置検出方法には、特に限定はなく、各種の方法が利用可能である。また、位置情報の出力は、接続される通信手段１６に応じて、公知の方法で行えばよい。
位置検出方法としては、一例として、読取装置１４（位置検出手段２４）にＧＰＳ(Global Positioning System) の機能を付加して、自身の位置を検出する方法が、好適に例示される。
【００４０】
位置検出方法としては、これ以外にも、読取装置１４に接続されるキーボード等を用いて、ＧＵＩ（Graphical User Interface）等を利用する公知の方法で、オペレータが読取装置１４の位置を、読取装置１４に入力できるようにし、これにより、読取装置１４が自身の位置検出を行う方法も、好適に利用可能である。
【００４１】
また、自身を識別する信号の出力手段を、読取装置１４、および、病院内の各位置に設置される通信手段１６と読取装置１４との接続部に、それぞれ持たせて、接続部および読取装置１４から両識別信号を出力して、位置情報をホスト１２に供給するようにしてもよい。
さらに、完全な位置を把握することはできないが、通信手段１６として、ＰＨＳや無線ＬＡＮを利用する場合には、読取装置１４が位置情報に対応する信号を送信することにより、基地局の位置を読取装置１４の位置情報としてホスト１２に供給するようにしてもよい。
【００４２】
読取装置１４からホスト１２（出力手段）への位置情報の供給タイミングには特に限定はない。例えば、定められた時間に供給するようにしてもよく、１５分毎や３０分毎等の定期的に供給するようにしてもよく、ホスト１２からの要求に応じて供給するようにしてもよい。また、読取装置１４は、非使用時に、その旨の情報と位置情報をホスト１２に送ることにより、読取装置１４の選択のための情報をホスト１２に提供するようにしてもよい。
さらに、これらを併用してもよく、適宜選択できるようにしてもよい。
【００４３】
なお、本発明において、読取装置１４が通信手段１６を用いてホスト１２に供給するのは、位置情報のみに限定はされない。
例えば、自身の状態（例えば、使用中か否か、予約状況など）、自身の有する機能（例えば、エネルギサブトラクションなどの特殊撮影に対応できるか否かなど）、読み取ったＩＰのＩＤ情報、読み取った放射線画像（情報）などを、位置情報と共に、あるいは、位置情報とは個別に、ホスト１２に供給するようにしてもよい。
【００４４】
以上、本発明の放射線画像読取装置および放射線画像読取システムについて詳細に説明したが、本発明は上記実施例に限定はされず、本発明の要旨を逸脱しない範囲において、各種の変更や改良を行ってもよいのは、もちろんである。
例えば、上記実施例は、ライン状光源とラインセンサを用いる放射線画像読取装置であったが、本発明は、これに限定はされず、人手によって移動可能であれば、ポイントスキャン方式の放射線画像読取装置であってもよい。
【図面の簡単な説明】
【００４５】
【図１】本発明の放射線画像読取システムの一例の概念図である。
【図２】（Ａ）は、本発明の放射線画像読取システムを構成する本発明の読取装置の一例の概念図、（Ｂ）は、そのディスプレイの一例の概念図である。
【符号の説明】
【００４６】
１０  （放射線画像）読取システム
１２  ホスト（コンピュータ）
１４  読取装置
１６  通信手段
１８，２２  ディスプレイ
２０  読取部
２４  位置検出手段
２６  キャスタ
３０  読取ヘッド
３２  副走査手段
３４  画像処理部
３６  筐体
３８  ＬＤアレイ
４０  ミラー
４２  集光レンズ
４４  プリズム
４６  ラインセンサ
４８  消去光出射部
５８  ガイドレール
６０  移動手段
６２  駆動源
６４  駆動プーリ
６６  従動プーリ
６８  エンドレスベルト
【図１】
2005077888.tif 000003
【図２】
2005077888.tif 000004